(57)【要約】【課題】剪断力と耐摩耗性を大きくし、草刈り作業の継続性を高めて、優れた草刈り性能を発揮できるようにする。【解決手段】プラスチック管体２とその管体２の中心に配設して一体に結合した芯線３とから構成し、その芯線３に高強度繊維を用いる。そして、そのプラスチック管体２とその芯線３との間に接着剤を介在する。その際、芯線３に接着剤を塗布し、その接着剤塗布済み芯線３に溶融プラスチック材の押し出し成形法によりプラスチック材を被覆して、プラスチック管体２を成形する。【選択図】　　　　図１
2004024011.tif 000002
【特許請求の範囲】
【請求項１】
プラスチック管体とその管体の中心に配設して一体に結合した芯線とから構成し、その芯線に高強度繊維を用いることを特徴とする草刈用プラスチックコード。
【請求項２】
プラスチック管体とその芯線との間に接着剤を介在することを特徴とする請求項１記載の草刈用プラスチックコード。
【請求項３】
芯線に接着剤を塗布し、その接着剤塗布済み芯線に溶融プラスチック材の押し出し成形法によりプラスチック材を被覆して、プラスチック管体を成形することを特徴とする草刈用プラスチックコードの製造方法
【発明の詳細な説明】
【０００１】
【発明の属する技術分野】
本発明は草刈機、草刈装置等に取り付けて用いる草刈用プラスチックコード並びにその草刈用プラスチックコードの製造方法に関する。
【０００２】
【従来の技術】
従来、鎌を用いて草刈りを行ってきたが、面積が広くなり、草刈場が藪になっていたりすると、その労力的負担が大きく、能率も上がらない。そこで、最近では金属刃やナイロンコード等を取り付け、それ等をエンジンで高速回転させる草刈機が広く用いられるようになった。そして、一般的には金属刃を取り付けた草刈機が広い面積を能率よく刈るのに適し、草刈場の状況が藪に近くても刈れるので、多く用いられている。しかし、金属刃を取り付けた草刈機を用いると、高速で回転する金属刃の割れや刃の外れ、刃の回転で当った石等の飛散による事故等が発生し易い。時には、回転する金属刃で直接身体を損傷したりして、大怪我をする場合もある。
【０００３】
この点、ナイロンコードは柔軟であるため、金属刃取り付けの草刈機によって発生するような事故の心配はなく、安全であり、安心して使用できる。特に、際刈りに適しているので、石の多い場所やコンクリート製品、金属製品等を設置した場所等の草刈りを行い易く、苗木の生産場所では苗木を切り倒す恐れもなく、周辺の草のみを刈ることができる。しかし、ナイロンコードは金属刃と比べて硬度が劣るため、金属刃程の草刈り能率を得られない。そこで、ナイロン等のプラスチックコードに関し、剪断力、耐摩耗性等の点から材質、形状と種々の開発が進められてきており、その開発、研究の成果によって改良が進み、需要者も増加して年次普及が進んでいる。
【０００４】
【発明が解決しようとする課題】
しかしながら、このような草刈用ナイロンコードは柔軟であり、使用による事故の心配はなくても、依然摩耗による損傷が早い。それ故、このナイロンコードを草刈機のシャフト先端に装着したカッターヘッドに一定の長さ突出させて取り付け、そのカッターヘッドを回転させながら使用すると、そのナイロンコードが使用中に草の茎等に打ち当ることにより、その先端部付近からほつれ、順次ちぎれて失われ短くなっていく。
【０００５】
そこで、使用者はナイロンコードが短くなって草刈り作業をするのに不都合になったら、草刈り作業を続行するのに必要な長さを確保するため、カッターヘッドの形式により異なる対応を行っている。例えば、その都度カッターヘッドからコードを指先でつまんで引き出したり、コード全体を差し替えたり、カッターヘッドに衝撃を与えて収納されているコードを繰り出したりする等の必要があり、当然草刈り作業を一時中断しなければならない。なお、カッターヘッドが自動タイプのものでは、コードが摩耗して短くなると、その内部に巻き込まれて収納されている長いコードから遠心力により自動的に送り出されてくるが、当然コードの取り替えは必要になる。
【０００６】
本発明はこのような従来の問題点に着目してなされたものであり、剪断力と耐摩耗性を大きくし、草刈り作業の継続性を高めて、優れた草刈り性能を発揮することのできる草刈用プラスチックコード並びにその草刈用プラスチックコードの製造方法を提供することを目的とする。
【０００７】
【課題を解決するための手段】
上記目的を達成するために、本発明による草刈用プラスチックコードはプラスチック管体とその管体の中心に配設して一体に結合した芯線とから構成し、その芯線に高強度繊維を用いる。
そして、上記プラスチック管体とその芯線との間に接着剤を介在すると好ましくなる。
【０００８】
又、本発明による草刈用プラスチックコードの製造方法では芯線に接着剤を塗布し、その接着剤塗布済み芯線に溶融プラスチック材の押し出し成形法によりプラスチック材を被覆して、プラスチック管体を成形する。
【０００９】
【発明の実施の形態】
以下、添付の図１〜３を参照して、本発明の実施の形態を説明する。
図１は本発明を適用した草刈用プラスチックコードの正面図、図２は同草刈用プラスチックコードの拡大断面図である。この草刈用プラスチックコード１はプラスチック管体２と、その管体２の中心に配設して一体に結合した芯線３とから構成する。そして、プラスチック管体２を形成するプラスチック材には例えばナイロンを用いる。なお、ポリプロピレン等も適しているが、ナイロンより高価である。又、芯線３として耐熱、高機能のアラミド繊維やフッ素系樹脂等の高強度繊維を用いる。すると、芯線３を構成する高強度繊維の量、太さによりプラスチックコード１の強度を選択できる。なお、高強度繊維は質量当りの太さを調節すると、出来上がるコード１の太さ、強度を調節できる。
【００１０】
又、プラスチック管体２と芯線３とを簡単に一体結合するには、それ等の間に接着剤を介在させるとよい。そこで、製造時には先ず芯線３の外周面全体に接着剤を塗布する。そして、その接着剤塗布済み芯線３の外周面に溶融したプラスチック材として例えばナイロン６、ナイロン６６等の共重合ナイロンを押し出し成形法により被覆して、プラスチック管体２を成形する。すると、中心に配設する芯線３の直径を例えば０．０６ｍｍにし、その周囲に接着剤層４を介してプラスチック管体２を簡単に成形でき、直径が例えば２．２ｍｍの円形プラスチックコード１が完成する。なお、プラスチックコードの剪断力を増すための断面形状として三角形、四角形、星形等の種々の形状を選択できる。
【００１１】
このようなプラスチックコード１は草刈機のシャフトに装着したカッターヘッドが、例えばコード差し替えタイプの場合には、図３に示すようにそのプラスチックコード１をカッターヘッド５に２本取り付けて用いる。すると、草刈機のエンジンから駆動力をシャフト６に伝え、カッターヘッド５を回転させて、更にそこに取り付けられている２本のプラスチックコード１を回転できる。そこで、シャフト６に取り付けられているハンドル等を持って、カッターヘッド５を適宜移動すると、その回転による遠心力を利用し、プラスチックコード２を草に打ち当てて切り倒し草刈り作業を行える。
【００１２】
草刈り作業中、プラスチックコード１が草の茎等に当ると、そのプラスチック管体２に大きな衝撃が加わる。しかし、そのプラスチック管体２は中心に配設され一体結合した高強度繊維からなる芯線３により補強されており、高強度繊維の耐衝撃性により芯線３は伸び難いので、その芯線３と一体結合しているプラスチック管体２も作業中に摩擦熱等により温度上昇しても伸び難くなる。すると、コード全体が伸びて、ナイロン分子の結合が弱くなることに起因するほつれやちぎれ等を防止できる。
【００１３】
それ故、プラスチックコード１の剪断力が大きくなり、耐摩耗性が向上するので、草刈り作業の継続性が高くなり、短時間での差し替えを必要としなくなって、プラスチックコード１の優れた草刈り性能を発揮させることができる。しかも、芯線３が接着剤層４を介してプラスチック管体２と十分に一体結合している場合には、一層プラスチックコード１の剪断力が大きくなり、耐摩耗性が向上するので好適になる。
【００１４】
【発明の効果】
以上説明した本発明によれば、請求項１記載の発明ではプラスチック管体をその中心に配設して一体に結合した高強度繊維からなる芯線により補強することができる。すると、草刈り作業中に、高強度繊維の耐衝撃性により芯線が伸び難く、その芯線と一体結合しているプラスチック管体が作業中の摩擦熱等によって温度上昇しても伸び難くなり、コード全体が伸びて、プラスチック分子の結合が弱くなることに起因するほつれやちぎれ等を防止できる。
【００１５】
それ故、プラスチックコードの剪断力が大きくなり、耐摩耗性が向上するので、草刈り作業の継続性が高くなり、短時間でのコードの引き出し、差し替え、取り替え等を必要としなくなって、プラスチックコードの優れた草刈り性能を発揮させることができる。
【００１６】
又、請求項２記載の発明ではプラスチック管体とその芯線との間に接着剤を介在することにより、それ等を簡単に一体結合して、剪断力や耐摩耗性に優れたプラスチックコードを製作することができる。
【００１７】
又、請求項３記載の発明では　接着剤塗布済み芯線に対する溶融プラスチック材の押し出し成形法により、芯線の周囲に接着剤を介してプラスチック材を簡単に被覆して、プラスチック管体を成形できる。
【図面の簡単な説明】
【図１】
本発明を適用した草刈用プラスチックコードの正面図である。
【図２】
同草刈用プラスチックコードの拡大断面図である。
【図３】
同草刈用プラスチックコードを草刈機のシャフトに装着したカッターヘッドに取り付けた状態を示す斜視図である。
【符号の説明】
１…草刈用プラスチックコード　２…プラスチック管体　３…芯線　４…接着剤層　５…カッターヘッド　６…草刈機のシャフト
【図１】
2004024011.tif 000003
【図２】
2004024011.tif 000004
【図３】
2004024011.tif 000005